(57)【要約】【課題】単純な構成でもって、昼夜共に高級感を付与した表示板を備えた表示装置を提供する。【解決手段】光透過性の基板２０と、この基板２０に形成され数字表示部７Ａ（凸状表示部）および太目盛表示部７Ｂ（凸状表示部）となる突出部２１Ａ，２１Ｂと、この突出部２１Ａ，２１Ｂの裏面側に設けたシルバーやゴールドなどの金属調の表示層２６と、突出部２１Ａ，２１Ｂを除いた基板２０の表面側に設けた地色層２３とを有する表示板８と、この表示板８の裏面側に配置した発光ダイオード（光源）とを備える。【選択図】図３
2005345126.tif 000002
【特許請求の範囲】
【請求項１】
光透過性の基板と、この基板に形成され凸状表示部となる突出部と、この突出部の裏面側に設けた金属調で光不透過性の表示層と、前記突出部を除いた前記基板の表面側に設けた地色層とを有する表示板と、この表示板の裏面側に配置した光源とを備えたことを特徴とする表示装置。
【請求項２】
光透過性の基板と、この基板に形成され凸状表示部となる突出部と、この突出部の裏面側に設けた金属調で光不透過性の表示層と、前記突出部を除いた前記基板の表面側に設けた地色層とを有する表示板と、この表示板の裏面側に配置した導光板と、この導光板内に入射される光を放つ光源とを備えたことを特徴とする表示装置。
【請求項３】
前記地色層が光透過性を有することを特徴とする請求項１または請求項２に記載の表示装置。
【請求項４】
前記突出部を除いた前記基板の表面側に透明艶消し層を設けたことを特徴とする請求項１から請求項３のいずれかに記載の表示装置。
【発明の詳細な説明】
【技術分野】
【０００１】
本発明は、金属調の表示部を有する表示板を備えた表示装置に関するものである。
【背景技術】
【０００２】
目盛，数字などの表示部を金属調とした表示板を備えた表示装置として、例えば下記特許文献１に記載のものが知られている。この特許文献１に記載の自動車用メータ（表示装置）は、表示部１４または表示盤１３（表示部以外の地部）の少なくとも一方を金属蒸着膜により形成した文字板２（表示板）と、この文字板２の後面側に配設した電球９と、電球９からの光を文字板２の前面側に導いて文字板２を前面側から照明する導光板１０とを備えたものである。この様に構成したことにより、表示部１４または表示盤１３が金属光沢を得ることができ、高級感があり、外観上も綺麗な文字板２を得ることができるというものである。
【特許文献１】実開平２−１４６３１６号公報
【発明の開示】
【発明が解決しようとする課題】
【０００３】
前記特許文献１に記載の自動車用メータ（表示装置）においては、文字板２の前面側から電球９の光が照射されるようになっているため、夜間など周囲が暗い状態であっても金属調の表示部１４または表示盤１３が視認可能となり、昼夜にわたり高級感があり、外観上も綺麗な文字板２が得られるが、導光板１０を使って電球９の光を文字板２の前面側に導かなければならず、構造が複雑となってしまう。また、導光板１０の出射箇所からより離れた文字板２箇所は照射光が弱くなり、視認性が低下しやすい。なお、導光板１０を用いず、文字板２の前面側に電球９を配置する方法もあるが同様である。
【０００４】
本発明はこの様な点に鑑みなされたもので、単純な構成でもって、昼夜共に高級感を付与した表示板を備えた表示装置を提供することを目的とする。
【課題を解決するための手段】
【０００５】
本発明は前記目的を達成するため、光透過性の基板と、この基板に形成され凸状表示部となる突出部と、この突出部の裏面側に設けた金属調で光不透過性の表示層と、前記突出部を除いた前記基板の表面側に設けた地色層とを有する表示板と、この表示板の裏面側に配置した光源とを備えたものである。
【０００６】
また、光透過性の基板と、この基板に形成され凸状表示部となる突出部と、この突出部の裏面側に設けた金属調で光不透過性の表示層と、前記突出部を除いた前記基板の表面側に設けた地色層とを有する表示板と、この表示板の裏面側に配置した導光板と、この導光板内に入射される光を放つ光源とを備えたものである。
【０００７】
また、前記地色層が光透過性を有するものである。
【０００８】
また、前記突出部を除いた前記基板の表面側に透明艶消し層を設けたものである。
【発明の効果】
【０００９】
単純な構成でもって、昼夜共に高級感を付与した表示板を備えた表示装置を得ることができる。
【発明を実施するための最良の形態】
【００１０】
本発明を車両用の表示装置を実施形態として、図１〜図３に基づいて説明する。図１は表示装置の部分断面図である。図２は表示板の正面図であり、図３は表示板の部分断面図である。
【００１１】
表示装置は、例えば速度計１を備えており、硬質な回路基板２と、この回路基板２の裏面側に回路基板２と導通状態で装着され、回路基板２を貫通して前方に延びる回動軸３を有する速度計１用の計器本体４と、回動軸３の先端側に固着された指示部５を有する指針６と、指示部５の後方に配置され指示部５の動作に対応する表示部７を設けた表示板８と、表示板８の裏面側に配置された導光板９と、この導光板９内に光を入射する光源としての発光ダイオード１０を備えている。
【００１２】
また、導光板９と回路基板２との間には表示板８および導光板９を支持する支持部材１１が配置してあり、回路基板２上の回動軸３周囲には、指針６の指示部５を照明する光源としての指針用発光ダイオード１２が配置してある。また、回路基板２の裏面側を覆う合成樹脂製のカバー１３と、表示板８の周縁に沿った前方側に配置され表示板８の可視領域を定める開口部１４を有する例えば黒色の見返し板１５と、表示板８や見返し板１５などの前方側を被う無色透明な透視板１６を備えている。
【００１３】
指針６は、無色透明な合成樹脂からなる指示部５の他に、指針軸１７と、指示部５の基部周囲（指針軸１７の上方）を覆う遮光部材としての黒色の指針キャップ１８を備えている。この指針６は指針軸１７を計器本体４の回動軸３の先端側に圧入することによって計器本体４に固着されている。また、指示部５の裏面には白色の箔（図示せず）がホットスタンプされており、周囲が明るい時は指示部５が白色で視認され、夜間など周囲が暗い時に、例えば赤色で発光する指針用発光ダイオード１２を点灯させると、指示部５が赤色で光輝するようになっている。
【００１４】
表示板８は、指針６の指針軸１７あるいは計器本体４の回動軸３が貫通する表示板穴１９を有し、車両の速度などを現す目盛，数字などの表示部７が設けてある。この表示部７はそれぞれ数字表示部７Ａ，太目盛表示部７Ｂ，細目盛表示部７Ｃ，文字表示部７Ｄからなり、本実施形態の場合は各表示部７の内、数字表示部７Ａおよび太目盛表示部７Ｂは表面側に突き出し形成された凸状表示部としてある。
【００１５】
図３に表示板８の部分断面を示す。光透過性である無色透明な平板状の基板２０の表面側に突出部２１Ａ，２１Ｂが形成してある。この突出部２１Ａ，２１Ｂはそれぞれ数字表示部７Ａおよび太目盛表示部７Ｂとなる箇所である。突出部２１Ａ，２１Ｂを除いた基板２０の表面側には、地部２２となる光透過性であるクリーム色の地色層２３と、突出部２１Ａ，２１Ｂの際に縁取り部２４となる黒色の縁取層２５が印刷形成されている。
【００１６】
数字表示部７Ａおよび太目盛表示部７Ｂとなる突出部２１Ａ，２１Ｂの裏面側には、金属調であるシルバーやゴールドなどの表示層２６と、この表示層２６が透過するのを防ぐための黒色の遮光層２７が設けてある。なお、表示層２６自体が光を透過させない層ならば、遮光層２７を設ける必要はない。
【００１７】
また、細目盛表示部７Ｃおよび文字表示部７Ｄはクリーム色の地色層２３上に黒色の着色層２８を設けて、これを細目盛表示部７Ｃおよび文字表示部７Ｄとしたものである。着色層２８と前述した縁取層２５は同じ黒色のため、同一工程で印刷形成すれば良い。また、突出部２１Ａ，２１Ｂ（数字表示部７Ａおよび太目盛表示部７Ｂ）を除いた基板２０の表面側、すなわち、地色層２３，縁取層２５および着色層２８上には透明艶消し層２９が設けてある。この透明艶消し層２９は、外光による文字板８面の反射を抑えたり、表面に傷が付きにくいようにするものである。
【００１８】
数字表示部７Ａおよび太目盛表示部７Ｂである突出部２１Ａ，２１Ｂは基板２０に各層を設けた後にプレス成形，圧空成形，真空成形などによって形成する。なお、前述した黒色の縁取層２５はデザイン的に設ける場合、あるいは、基板２０に各層を印刷した後に突出部２１Ａ，２１Ｂを形成するために、突出部２１Ａ，２１Ｂの曲げ箇所（特に平面部と突出部との境）に対応した箇所の表示層２６や遮光層２７が伸びてしまって（印刷インクが伸びて）、この部分から光が表示板８の表面側に出てしまう虞もあるために設けるものであって、デザイン面を考慮する必要がなかったり、光洩れの虞がなければ設けなくとも良い。
【００１９】
導光板９は、中央に丸穴３０を有する無色透明な合成樹脂からなり、表示板８とほぼ同じ外径形状となっている。また、発光ダイオード１０からの光を導光板９内に入射させる（導く）ための受光部３１が設けてある。なお、導光板９内に発光ダイオード１０からの光が導かれるようになっていれば、導光板９の形状あるいは発光ダイオード１０の位置は任意である。
【００２０】
支持部材１１は、遮光性のある白色の合成樹脂からなり、回動軸３の周囲に配置された指針用発光ダイオード１２を囲むように立設した略円筒形の筒部３２と、表示板８の周縁に沿って形成された周壁３３などを有している。表示板８および導光板９は、筒部３２と周壁３３に支持固定されている。
【００２１】
この様に構成された表示装置において、周囲が明るい時には表示板８はクリーム色の地部２２の中に凸状表示部である数字表示部７Ａおよび太目盛表示部７Ｂが金属調に視認され、細目盛表示部７Ｃと文字表示部７Ｄは黒色で視認される。
【００２２】
また、夜間など周囲が暗い時に、例えば白色で発光する発光ダイオード１０を点灯させると、受光部３１から入射して導光板９内を伝わる光が表示板８の裏面側に出射して、その光によって表示部７を除いた地部２２がほぼ白色で透過照明され、細目盛表示部７Ｃと文字表示部７Ｄがシルエットとして浮かび上がる。また、数字表示部７Ａと太目盛表示部７Ｂは基板２０の裏面側に遮光層２７を設けてあるため透過照明されないが、遮光層２７が設けられていない裏面箇所から基板２０内に入った光が表示層２６に反射して（突き出し形成してあるため、表示層２６に光が反射しやすくなる）、その光が地色層２３の設けられていない突出部２１Ａ，２１Ｂから出射することによって数字表示部７Ａと太目盛表示部７Ｂがキラリと光った金属調で視認される。
【００２３】
この様に、基板２０に突出部２１Ａ，２１Ｂを形成し、この突出部２１Ａ，２１Ｂの裏面側に金属調の表示層２６を設けて数字表示部７Ａおよび太目盛表示部７Ｂとし、突出部２１Ａ，２１Ｂを除いた基板２０の表面側に地色層２３を設けたことにより、単純な構成でもって昼夜共に表示板８に高級感を付与することができる。また、数字表示部７Ａおよび太目盛表示部７Ｂを凸状表示部としてあるため、立体的でもあり、高級感と立体感を合わせ持った斬新な見栄えのする表示装置とすることができる。
【００２４】
また、突出部２１Ａ，２１Ｂを除いた地色層２３，縁取層２５および着色層２８上に透明艶消し層２９が設けてあるため、外光による反射抑止や印刷面の保護を図りながら、透明艶消し層２９が設けられていない数字表示部７Ａおよび太目盛表示部７Ｂにキラリ感がでて（光沢状態となり）、より高級感が付与される。但し、透明艶消し層２９は突出部２１Ａ，２１Ｂの表面に設けてあっても良い。その場合、光沢感が多少低下するが高級感が無くなるというものではない。
【００２５】
なお、本発明は前記実施形態に限定されるものではなく、例えば導光板９は用いなくとも良い。その場合は、表示板８の裏面側に配置した発光ダイオード１０の光が表示板８の裏面を照射するようになっていれば良い。但し、導光板９を用いた方が表示板８の地部２２全面をより均一に透過照明させることが可能である。
【００２６】
また、地色層２３を光透過性としたが光不透過性であっても良い。但し、凸状表示部周囲の地色層２３を透過した後、突出部２１Ａ，２１Ｂ内に入って金属調の表示層２６に反射する光もあり、この様な光によってよりキラリ感のある金属調の凸状表示部となるため、光透過性の方が好ましい。
【００２７】
また、車両の表示装置に用いられる表示板８のように比較的細かい表示部７の場合は、基板２０の板厚が薄い方が凸状表示部の形状がでやすいが、板厚が薄すぎると基板２０内を伝わる光量が少なくなり、表示層２６に反射する光も弱くなって金属調となりにくいことから、基板の板厚は0.5〜1.0mmが適している。
【図面の簡単な説明】
【００２８】
【図１】本発明の実施形態を示す表示装置の部分断面図。
【図２】同表示板の正面図。
【図３】同表示板の部分断面図。
【符号の説明】
【００２９】
７  表示部
７Ａ  数字表示部（凸状表示部）
７Ｂ  太目盛表示部（凸状表示部）
７Ｃ  細目盛表示部
７Ｄ  文字表示部
８  表示板
９  導光板
１０  発光ダイオード（光源）
２０  基板
２１Ａ  突出部（数字表示部）
２１Ｂ  突出部（太目盛表示部）
２３  地色層
２６  表示層
２９  透明艶消し層
【図１】
2005345126.tif 000003
【図２】
2005345126.tif 000004
【図３】
2005345126.tif 000005